(57)【要約】【課題】モーターやブラケットが故障しても、比較的短時間で修理を行うことができると共に、修理費用も抑制可能なモーター位置決め構造を提供する。【解決手段】モーター２２と、このモーター２２の駆動力が伝達される伝達ギヤが取り付けられるブラケット２４とを互いに位置決めした状態で結合するためのモーター位置決め構造であって、ブラケット２４に植設される伝達ギヤ取り付け用のギヤスタッド２４ｃ，２４ｄが挿入される第１嵌合穴１８ｄ，１８ｅと、モーター２２のモーター軸２２ｄが挿入される第２嵌合穴１８ｃと、が形成された位置決め治具部が、モーター２２及びブラケット２４が組み付けられる装置を構成するアクセスカバー１８に形成されている。【選択図】図１
2008220132.tif 000002
【特許請求の範囲】
【請求項１】
モーターと、このモーターの駆動力が伝達される伝達ギヤが取り付けられるブラケットとを互いに位置決めした状態で結合するためのモーター位置決め構造であって、
ブラケットに植設される伝達ギヤ取り付け用のギヤ軸が挿入される第１嵌合穴と、モーターのモーター軸が挿入される第２嵌合穴と、が形成された位置決め治具部が、モーター及びブラケットが組み付けられる装置を構成する部材に形成されていることを特徴とするモーター位置決め構造。
【請求項２】
モーターは、振動吸収部材を介してブラケットに結合されるものである請求項１に記載のモーター位置決め構造。
【請求項３】
前記装置を構成する部材は、外観部を構成するカバー部材であることを特徴とする請求項１又は２に記載のモーター位置決め構造。
【請求項４】
前記外観部を構成するカバー部材は、モーターよりも後に装置に取り付けられるものであることを特徴とする請求項３に記載のモーター位置決め構造。
【請求項５】
前記モーターは、原稿載置部に載置されている原稿を画像読み取り位置へ送り込むための自動原稿送り装置において、原稿載置部から原稿を繰り出して搬送するための駆動源として用いられるものであり、前記装置を構成する部材は、自動原稿送り装置をカバーするためのカバー部材であることを特徴とする請求項１〜４のいずれか１項に記載のモーター位置決め構造。
【発明の詳細な説明】
【技術分野】
【０００１】
本発明は、モーターと、このモーターの駆動力が伝達される伝達ギヤが取り付けられるブラケットとを互いに位置決めした状態で結合するためのモーター位置決め構造に関するものである。
【背景技術】
【０００２】
モーターをブラケットに結合するためには、伝達ギヤ取り付け用のギヤ軸と、モーターのモーター軸とを位置決めした状態でモーターを結合する必要がある。例えば、下記特許文献１では、スキャナーモーターにより正逆回転される駆動軸と、モーターとの位置決めをするために、モーターが結合されるブラケットに駆動軸とスキャナーモーターのモーター軸との軸間距離を規定する駆動軸の軸受取り付け孔が設けられている。また、モーターには基準ボスが設けられ、ブラケットに形成したモーター軸取り付け孔と基準ボスによりスキャナーモーターのブラケットに対する位置決めがなされる。
【０００３】
【特許文献１】特開２００２−３４１４６６号公報
【発明の開示】
【発明が解決しようとする課題】
【０００４】
上記構成では、モーター自身に設けられている基準ボスを利用してブラケットに対する位置決めを行うことができるが、モーター自身にかかる位置決め機能を設けることができない場合もある。例えば、ゴムなどの振動吸収部材を介してモーターをブラケットに結合する場合が該当する。ゴムなどを介する場合、ブラケットとモーターとが直接接触しない形で結合されるため、ブラケットとモーターをそのままの形では位置決めすることはできない。
【０００５】
そこで、現状では位置決め用の治具を用いてモーター軸と伝達ギヤ取り付け用のギヤ軸とを位置決めした状態にして、モーターとブラケットの結合を行っている。かかる場合、仮にモーターやブラケットが故障した場合、部品交換をする必要があるが、いったんモーターをブラケットから取り外すと、位置決めができないため、工場で位置決め作業を行う必要があり、メンテナンスの時間が多大なものになった。かかる手間を回避するには、モーターとブラケットが結合されたユニットごと交換すればよいが、交換の必要がない部品まで交換してしまうことになり、修理費用の負担が大きくなるという問題があった。
【０００６】
本発明は上記実情に鑑みてなされたものであり、その課題は、モーターやブラケットが故障しても、比較的短時間で修理を行うことができると共に、修理費用も抑制可能なモーター位置決め構造を提供することである。
【課題を解決するための手段】
【０００７】
上記課題を解決するため本発明に係るモーター位置決め構造は、
モーターと、このモーターの駆動力が伝達される伝達ギヤが取り付けられるブラケットとを互いに位置決めした状態で結合するためのモーター位置決め構造であって、
ブラケットに植設される伝達ギヤ取り付け用のギヤ軸が挿入される第１嵌合穴と、モーターのモーター軸が挿入される第２嵌合穴と、が形成された位置決め治具部が、モーター及びブラケットが組み付けられる装置を構成する部材に形成されていることを特徴とするものである。
【０００８】
かかる構成によるモーター位置決め構造の作用・効果を説明する。この構成においては、モーターとブラケットとの位置決めを行うに際して、これらモーター及びブラケットが組み付けられる装置を構成する部材を位置決め用の治具として使用される。この部材には、伝達ギヤ取り付け用の第1嵌合穴と、モーター軸用の第２嵌合穴が形成されており、これらを利用してモーターとブラケットとの位置決めを行うことができる。かかる位置決め治具部が装置を構成する部材に設けられているので、その場においてモーターやブラケットの部品交換をでき、位置決めも行うことができる。従って、わざわざ工場に送り返してモーターの組み立て作業を行う必要もない。また、位置決め専用の治具を用意しておく必要もなく、修理費用を抑制することができる。その結果、モーターやブラケットが故障しても、比較的短時間で修理を行うことができると共に、修理費用も抑制可能なモーター位置決め構造を提供することができる。
【０００９】
本発明において、モーターは、振動吸収部材を介してブラケットに結合されるものであることが好ましい。
【００１０】
振動吸収部材を介して結合する場合、モーターとブラケットを直接位置決めすることはできないが、上記のような位置決め治具部を有する部材を用いることで、両者を位置決めして結合させることができる。
【００１１】
本発明において、前記装置を構成する部材は、外観部を構成するカバー部材であることが好ましい。
【００１２】
かかるカバー部材に位置決め治具部を構成することで、外観部材としての機能を持たせるだけでなく、治具としての機能を持たせることができ、専用の位置決め治具を設けなくても済む。従って、コストダウンに寄与することができる。
【００１３】
本発明において、前記外観部を構成するカバー部材は、モーターよりも後に装置に取り付けられるものであることが好ましい。
【００１４】
モーターよりも後に取り付けられるカバー部材を利用することで、組立工程において何ら支障なく、カバー部材を利用してモーターの位置決め及び組み立てを行なうことができる。また、修理を行なうときも、モーターを取り出すためにそのカバー部材が開けられることになるので、修理のときにも支障なくカバー部材の利用をすることができる。
【００１５】
本発明において、前記モーターは、原稿載置部に載置されている原稿を画像読み取り位置へ送り込むための自動原稿送り装置において、原稿載置部から原稿を繰り出して搬送するための駆動源として用いられるものであり、前記装置を構成する部材は、自動原稿送り装置をカバーするためのカバー部材であることが好ましい。
【００１６】
かかる自動原稿送り装置は、例えば、デジタル複合機に備えられており、原稿載置部に載置されている原稿を画像読み取り位置へ送り込むための機構が設けられている。
【発明を実施するための最良の形態】
【００１７】
図１はファクシミリ装置や複写機、或いはファクシミリと複写の両機能（プリンタ機能も含む）を備えた所謂複合機におけるＡＤＦによる自動原稿送り装置１の要部の縦断面図を示すものである。図例の自動原稿送り装置１は、シート状の原稿Ｄを１枚ずつ搬送しながら、その両面の画像を読取って、それぞれデジタル信号として出力するための両面原稿読取装置として構成されている。尚、図１は、紙面奥側が自動原稿送り装置１の正面側、紙面手前側が背面側であることを示している。本発明に係るモーター位置決め構造は、好適にはこの自動原稿送り装置において使用されるモーターの位置決めを行う際に適用されるものである。
【００１８】
図例の自動原稿送り装置１の原稿供給口部２ａには、原稿トレー２ｂが該原稿供給口部２ａに向かって下方に傾斜するよう着脱自在に装着され、この原稿供給口部２ａと原稿トレー２ｂとにより原稿載置部２が構成されている。原稿供給口部２ａ上には、原稿載置部２に上向きページ順に堆積された原稿Ｄを上層部より繰出すピックアップローラ３が配設され、このピックアップローラ３に引き続き、繰出された原稿を１枚ずつ分離して給送する原稿分離装置４が装備されている。該原稿分離装置４は、分離ローラ４ａとこの分離ローラ４ａの周体に弾接するよう付勢された分離パッド４ｂとからなる。ピックアップローラ３で繰出された原稿は、分離ローラ４ａと分離パッド４ｂとの間に導入され、分離ローラ４ａの回転に伴う両者の紙に対する摩擦係数の差により１枚ずつ分離され、下流側に給送される。圧縮スプリング４ｃは、分離パッド４ｂを分離ローラ４ａの周体に弾接させるべく機能するものである。尚、分離給送手段４としては、分離ローラとリタードローラからなるものも対象とされることは言うまでもない。
【００１９】
上記原稿分離装置４により１枚ずつ分離された原稿Ｄは、Ｕターン状に形成された原稿搬送路５に沿って順次配設されたレジストローラ６、第１搬送ローラ７及び第２搬送ローラ８によりレジスト搬送されて第１の読取ポイントＰ１に至り、更に第３搬送ローラ９により第２の読取ポイントＰ２に給送され、排出ローラ１０により排出トレー１１に排出される。第１の読取ポイントＰ１にはプラテン１２が配置され、原稿が該プラテン１２上を通過する際、このプラテン１２の下部に待機された読取走査装置（第１読取手段）１３により原稿表面（第１面）の画情報が逐次読み取られ、上記のようにデジタル信号として出力される。
【００２０】
図例の読取走査装置１３は、移動式読取走査装置として、フラットベッドスキャナ（ＦＢＳ）にも兼用するよう構成されている。即ち、図示を一部省略したが、図１における破断部分の左側にはＦＢＳ部１４が連成されている。上記読取走査装置１３は、図例ではＡＤＦ原稿の読取位置に待機・静止した状態を示すが、ＦＢＳ原稿の読取時には、ＦＢＳ部１４内に移動し、ＦＢＳ部１４内をプラテンガラス１５の下面に沿って往復移動し、この往復移動の間、プラテンガラス１５上に載置された原稿の画情報が、読取走査装置１３によって上記同様に読み取られる。画像読取装置１、原稿トレー２ｂ及び排出トレー１１は一体化されてプラテンカバーを構成し、紙面手前側をヒンジ部（不図示）として上下に開閉可能とされている。従って、ＦＢＳ部１４にて原稿読み取りを行う際は、このプラテンカバーを開け、露見したプラテンガラス１５上に原稿を載置することによりなされる。
【００２１】
上記のように、第１の読取ポイントＰ１で表面画像が読み取られた原稿は、更に、第３搬送ローラ９により搬送されて第２の読取ポイントＰ２に至るが、この第２の読取ポイントＰ２は、搬送原稿の裏面側に配置された密着型イメージセンサ１６と、これに接触的に配置されたプラテンローラ１７との接触点とされる。即ち、密着型イメージセンサ１６とプラテンローラ１７との間に導入される原稿は、プラテンローラ１７の回転により密着型イメージセンサ１６の読取面を摺接しながら給送され、この間原稿の裏面（第２面）画像が密着型イメージセンサ１６により読取られ、電気信号に変換されてデジタル信号として出力される。
【００２２】
上記分離ローラ（ピックアップローラ３を含む）４ａ、レジストローラ６及び第１搬送ローラ７は、第１搬送系Ａを構成し、第２搬送ローラ８、第３搬送ローラ９、プラテンローラ１７及び排出ローラ１０は第２搬送系Ｂを構成し、これら２系統に類別された搬送系Ａ、Ｂは、１個のモーター（図２、図３参照）２２を駆動源とし、後記する２系統の駆動伝達手段Ａ１、Ｂ１を介し、個別に駆動伝達がなされるよう構成されている。
【００２３】
ピックアップローラ３は、分離ローラ４ａの駆動軸４ｄから駆動伝達されるよう構成される。これを略述すれば、該駆動軸４ｄにはトルクリミッタ（不図示）を介しフレーム３ａが上下揺動可能に取付けられ、このフレーム３ａの先側には支軸３ｂが軸回転可能に支持されている。上記駆動軸４ｄに取付けられたプーリー４ｅと、支軸３ｂに取付けられたプーリー３ｃとの間にベルト３ｄが張設されており、駆動軸４ｄの回転がプーリー４ｅ、ベルト３ｄ及びプーリー３ｃを介して支軸３ｂに伝達され、更にこの支軸３ｂの回転はワンウェイクラッチ（不図示）を介してピックアップローラ３に伝達されるようになされている。
【００２４】
斯く構成されたピックアップローラ３は、待機状態ではフレーム３ａをして上方に位置し、上記駆動軸４ｄが正回転（Ｘ方向）すると、上記トルクリミッタの作用によりフレーム３ａが駆動軸４ｄを支点として下方に揺動する。この揺動はピックアップローラ３が原稿載置部２上に堆積された原稿Ｄの最上層部に押当した時に停止するが、駆動軸４ｄの引続く回転により、上記伝達系（プーリー４ｅ、ベルト３ｄ及びプーリー３ｃ）を介しピックアップローラ３が回転する。このように、駆動軸４ｄが正回転している間、ピックアップローラ３は堆積原稿Ｄの最上層部に押当されながら回転するので、原稿Ｄは最上層部より逐次繰出されて行く。そして、駆動軸４ｄが一旦停止し逆回転（反Ｘ方向）すると、フレーム３ａがトルクリミッタの作用により上方に揺動し、その後の駆動軸４ｄの停止により、待機状態に静止保持される。
【００２５】
分離ローラ４ａは不図示のワンウェイクラッチを介し駆動軸４ｄから駆動伝達される。従って、駆動軸４ｄの正回転により、上記のようにピックアップローラ３から原稿Ｄが繰出され、繰出された原稿は分離ローラ４ａと分離パッド４ｂとの間に導入され、前記のように１枚ずつ分離されて下流側に給送される。分離ローラ４ａから給送された原稿Ｄは、レジストローラ６によりレジストされて更に下流側に搬送されるが、このレジストローラ６以降の各ローラ７、８、９、１７、１０の周速は、分離ローラ４ａ及びピックアップローラ３の周速より大とされ、分離ローラ４ａとレジストローラ６との間で原稿のページ間隔を確保するようになされている。従って、分離ローラ４ａから給送された原稿Ｄの先端がレジストローラ６に差し掛かるとその周速度差により、原稿に搬送負荷（引張力）が掛かるが、分離ローラ４ａ及びピックアップローラ３には上述のように不図示のワンウェイクラッチが組み込まれており、これにより両ローラ４ａ、３が空回転し、上記搬送負荷が緩和される。
【００２６】
レジストローラ６、第１〜第３搬送ローラ７、８、９及び排出ローラ１０には、夫々プレッシャーローラ６ａ、７ａ、８ａ、９ａ及び１０ａが対設され、原稿はこれらローラにニップされて搬送される。上記分離ローラ４ａとこれに連関するピックアップローラ３及びプレッシャーローラ６ａ、７ａは、ヒンジピン１８ａを支点として上下に開閉可能に枢着されたジャムアクセスカバー１８の内側に取付けられている。従って、第２搬送ローラ８に至るまでの原稿搬送路５で原稿ジャムが発生した場合は、このジャムアクセスカバー１８を開けることにより、分離パッド４ｂ、レジストローラ６、第１搬送ローラ７との間が開放されるので、ジャム原稿の取出しが容易に行える。
【００２７】
また、第２搬送ローラ８、第３搬送ローラ９、これらと対をなすプレッシャーローラ８ａ、９ａ、プラテンローラ１７及び排出ローラ１０は、ＡＤＦを含む前記プラテンカバーの機枠をなす機体フレーム１９及びこれに固定された筒状の中間インナーガイドフレーム２０に取付けられている。更に、密着型イメージセンサ１６及びプレッシャーローラ１０ａは、前記レジストローラ６の駆動軸６ｂを支点として上下に開閉可能に枢着された中間フレーム２１に取付けられている。第２搬送ローラ８及び第３搬送ローラ９間でのジャム原稿のジャム解除については後記するが、第３搬送ローラ９以降でのジャム時には、上記ジャムアクセスカバー１８を開けた上で中間フレーム２１を開ければ、密着型イメージセンサ１６とプラテンローラ１７との間、及び排出ローラ１０とプレッシャーローラ１０ａとのニップ関係が開放されるから、この部分でのジャム原稿の取出しが容易に行える。
【００２８】
図２及び図３は上記各ローラの駆動伝達機構を示し、図２はその正面図（画像読取装置１全体から見れば背面図）であり、図３はその平面図である。上記機体フレーム１９には、駆動伝達機構用の板金製本体フレーム（リヤフレーム）２３が固設され、この本体フレーム２３に、上記レジストローラ６、第１搬送ローラ７、第２搬送ローラ９、プラテンローラ１７及び排出ローラ１０の駆動軸６ｂ、７ｂ、９ｂ、１７ａ及び１０ｂの一端部が軸支されている。また、板金製のブラケット２４が、本体フレーム２３に固設されたナット支柱２４ａにビス２４ｂを螺合することにより、本体フレーム２３に対し間隔を隔て固定されている。更に、該ブラケット２４には、上記各ローラの共通の駆動源であるモーター２２が取付けられている。
【００２９】
上記各ローラの駆動軸６ｂ、７ｂ、９ｂ、１７ａ及び１０ｂの一端部にはギヤ６ｃ、７ｃ、９ｃ、１７ｂ及び１０ｃが取付けられ、これらギヤに対してモーター２２の出力ギヤ（出力軸）２２ａから、アイドラギヤ或いはベルト等を介して駆動伝達される。即ち、上記出力ギヤ２２ａに２段の第１アイドラギヤ２５の大径ギヤが噛合し、この第１アイドラギヤ２５の小径ギヤに第２アイドラギヤ２６が噛合する。更に、第２アイドラギヤ２６に第３アイドラギヤ２７が噛合し、これらにより分離ローラ４ａ専用の駆動伝達系が確立される。即ち、本体フレーム２３の上辺部に切欠２３ａが形成されており、前記ジャムアクセスカバー１８を閉めると、分離ローラ４ａの駆動軸４ｄがこの切欠２３ａに嵌り込んで保持され、該駆動軸４ｄの一端に取付けられたギヤ４ｆが第３アイドラギヤ２７に噛合して、モーター２２の出力ギヤ２２ａから、第１アイドラギヤ２５、第２アイドラギヤ２６及び第３アイドラギヤ２７を介して分離ローラ４ａへの回転駆動伝達がなされる。
【００３０】
また、上記第１アイドラギヤ２５には、第４アイドラギヤ２８が噛合し、更に、この第４アイドラギヤ２８と第５アイドラギヤ２９間に第１タイミングベルト（歯付ベルト、以下同じ）３０が張設され、この第５アイドラギヤ２９に上記レジストローラ６のギヤ６ｃ及び第１搬送ローラ７のギヤ７ｃが噛合する。これによりレジストローラ６及び第１搬送ローラ７の駆動伝達系が確立され、モーター２２の出力ギヤ２２ａから、レジストローラ６及び第１搬送ローラ７に回転動力が伝達される。
【００３１】
上記出力ギヤ２２ａには、更に別の第６アイドラギヤ３１が噛合し、この第６アイドラギヤ３１と第３搬送ローラ９のギヤ９ｃ間に第２タイミングベルト３２が張設されており、これにより、出力ギヤ２２ａから第６アイドラギヤ３１及び第２タイミングベルト３２を介し第３搬送ローラ９に回転動力が伝達される。また、第３搬送ローラ９の駆動軸９ｂからは、後記するように、フロントフレーム３６側に設けられたギヤ９ｅ及び第４タイミングベルト３７を介し、第２搬送ローラ８のギヤ８ｃに駆動伝達される（図３参照）。更に、第６アイドラギヤ３１と第７アイドラギヤ３３には第３タイミングベルト３４が張設され、該第７アイドラギヤ３３には、プラテンローラ１７のギヤ１７ａ及び排出ローラ１０のギヤ１０ｃが噛合する。これにより、出力ギヤ２２ａから第６アイドラギヤ３１、第３タイミングベルト３４及び第７アイドラギヤ３３を介しプラテンローラ１７及び排出ローラ１０に回転動力が伝達される。
【００３２】
上記のように、第１アイドラギヤ２５から第２アイドラギヤ２６を経て第３アイドラギヤ２７に至る駆動伝達系、及び、第１アイドラギヤ２５から第４アイドラギヤ２８、第１タイミングベルト３０、第５アイドラギヤ２９を経てギヤ６ｃ或いはギヤ７ｃに至る駆動伝達系は、分離ローラ（ピックアップローラ３を含む）４ａ、レジストローラ６及び第１搬送ローラ７からなる第１搬送系Ａを一連的に駆動する為の第１駆動伝達系Ａ１を構成する。また、第６アイドラギヤ３１から第２タイミングベルト３２を経てギヤ９ｃ更にはギヤ８ｃに至る駆動伝達系、及び、第６アイドラギヤ３１から第３タイミングベルト３４を経てギヤ１７ａ或いはギヤ１０ｃに至る駆動伝達系は、第２搬送ローラ８、第３搬送ローラ９、プラテンローラ１７及び排出ローラ１０からなる第１搬送系Ｂを一連的に駆動する為の第２駆動伝達系Ｂ１を構成する。
【００３３】
上記第１〜第７アイドラギヤ２５、２６、２７、２８、２９、３１、３３の多くは、多段ギヤで構成され、各ギヤの径（歯数）は、各ローラが所定の周速度になるよう適宜設定される。また、いずれのアイドラギヤも、本体フレーム２３にカシメ等により植設固定されたギヤスタッドに軸回転可能に装着され、一部のギヤスタッドは、その他端部がブラケット２４に保持されている。更に、分離ローラ４ａへの駆動伝達系における第２アイドラギヤ２６、レジストローラ６のギヤ６ｃ及び第３搬送ローラ９のギヤ９ｃにはそれぞれ電磁クラッチ２６ａ、６ｄ及び９ｄが付設され、分離ローラ４ａ、レジストローラ６及び第３搬送ローラ９が個々にオン・オフ制御されるようになされている。尚、図２ではこれら電磁クラッチの図示を省略している。
【００３４】
図２において、３５ａ、３５ｂ、３５ｃはテンションギヤであり、夫々第１、第２、第３タイミングベルト３０、３２、３４の張り調整機能を奏するものである。これらテンションギヤ３５ａ、３５ｂ、３５ｃは、レジストローラ６の駆動軸６ｂを支点として垂直面域内で揺動可能に取付けられたテンションプレート３５に装備されている。このテンションプレート３５は、引張スプリング３５ｄにより、常時駆動軸６ｂを中心に反時計方向に弾力付勢されており、これにより各テンションギヤ３５ａ、３５ｂ、３５ｃは、夫々第１、第２、第３タイミングベルト３０、３２、３４に作用し、これらを常時緊張状態に維持する。
【００３５】
次に、第２搬送ローラ８への駆動伝達機構について説明する。この伝達機構は、第３搬送ローラ９の駆動軸９ｂの他端側（画像読取装置１のフロント側）に構成される。即ち、第３搬送ローラ９の駆動軸９ｂは、画像読取装置１を横断してフロント側に及び、機体フレーム１９に取付けられたフロントフレーム３６にそのフロント側端部が回転可能に保持されている。また、第２搬送ローラ８の駆動軸８ｂも、そのフロント側端部が、フロントフレーム３６に保持されている。そして、両駆動軸９ｂ、８ｂのフロント側端部には、夫々ギヤ９ｅ及び８ｃが取付けられ、両ギヤ９ｅ、８ｃには第４タイミングベルト３７が張設され、これにより、第２搬送ローラ８への駆動伝達機構が確立される。従って、第３搬送ローラ９が上記駆動伝達機構を介して回転駆動すると、この駆動伝達機構により、第２搬送ローラ８が同時に回転駆動する。
【００３６】
上記説明で明らかなように、本発明の画像読取装置１における原稿搬送系は、第１の読取手段（第１の読取ポイントＰ１）の上流位置までの各ローラからなる第１搬送系Ａと、読取手段（第１及び第２の読取ポイントＰ１及びＰ２）前後及び排出ローラ１０に至る各ローラからなる第２搬送系Ｂとの２系統の搬送系に類別され、これら２系統の搬送系Ａ、Ｂは、夫々２系統の駆動伝達系Ａ１、Ｂ１を介して一連的に回転駆動する。そして、この２系統の駆動伝達系Ａ１、Ｂ１は、モーター２２の出力軸２２ａから振り分け状に連接されて個別に駆動伝達される。
【００３７】
＜モーター位置決め構造＞
次に、モーター２２の位置決め構造について説明する。上記のように、モーター２２の出力ギヤ２２ａは、第１アイドラギヤ２５の大径ギヤと、第６アイドラギヤ３１と同時に噛み合う構成であり、正しい噛み合い状態を実現するためには、ギヤの軸間距離の精度を出した状態で組み立てる必要がある。モーター２２を直接ブラケット２４に結合させる場合は、モーター２２とブラケット２４を直接位置決めした状態でネジにより結合することができる。
【００３８】
しかしながら、モーター２２をブラケット２４に対して位置決めできないような場合がある。例えば、振動吸収部材を介してモーター２２をブラケット２４に対して結合する場合である。具体的には、ゴムブッシュ４０（振動吸収部材に相当）を２箇所ブラケット２４に対して結合しており、このゴムブッシュ４０に対してモーター２２が結合される。モーター２２の本体には、モーター台板２２ｂが取り付けられており、このモーター台板２２ｂに設けられている結合用孔２２ｃを利用して、ボルト４１とナット４２により結合する。
【００３９】
ブラケット２４には、第１アイドラギヤ２５を回転自在に支持するための第１ギヤスタッド２４ｃと、第６アイドラギヤ３１を回転自在に支持するための第２ギヤスタッド２４ｄがカシメなどの方法により一体的に植設されている。ゴムブッシュ４０を介してモーター２２をブラケット２４に対して結合するので、モーター軸２２ｄと、第１・第２ギヤスタッド２４ｃ，２４ｄとの軸間距離を精度よく出すことが難しい。第１・第２ギヤスタッド２４ｃ，２４ｄは、伝達ギヤ取り付け用のギヤ軸に相当する。
【００４０】
そこで、モーター２２をブラケット２４に結合する際には位置決め用治具が必要となる。本発明としては、位置決め用治具を専用に用意するのではなく、図５に示すようにジャムアクセスカバー１８（装置を構成する部材、装置の外観部を構成するカバー部材に相当）に位置決め治具部が構成されている。この位置決め治具部として、第１ギヤスタッド２４ｃが挿入される第１ギヤスタッド用位置決め穴１８ｄ（第１嵌合穴に相当）と、第２ギヤスタッド２４ｄが挿入される第２ギヤスタッド用位置決め穴１８ｅと、モーター軸２２ｄが挿入されるモーター軸嵌合穴１８ｃ（第２嵌合穴に相当）とが一体形成されている。これらの各穴は袋穴として形成されており、外観側からは穴の形状を認識できない。
【００４１】
アクセスカバー１８に位置決め治具部を形成することで、専用の位置決め治具を必要としない。また、モーター２２が故障して交換するときは、新しいモーター２２をブラケット２４に位置決め結合させる必要があるが、アクセスカバー１８を利用することで位置決め結合を行なうことができる。従って、わざわざ工場へ部品を送って組み立てるなどの手間を省くことができ、修理コストを抑制することができる。
【００４２】
また、アクセスカバー１８は、モーター２２よりも後に取り付けられるカバー部材である。したがって、アクセスカバー１８を利用して、モーター２２の位置決めを行った後、アクセスカバー１８の組み立てを行うことができ、通常の組み立て順序で行なうことができる。また、修理を行なうときも、モーター２２を取り出すためにアクセスカバー１８が開けられることになるので、修理のときにも支障なくアクセスカバー１８の利用をすることができる。
【００４３】
＜別実施形態＞
本実施形態では、アクセスカバー１８に位置決め治具部を形成しているが、他のカバー部材に位置決め治具部を形成してもよい。また、カバー部材以外の部品に位置決め治具部を形成してもよい。例えば、フレーム２３に位置決め治具部を形成してもよい。
【００４４】
本実施形態において、モーター２２をゴムブッシュ４０を介して結合する構成例を説明したが、元々位置決め機能を有しないモーターをブラケットに結合する場合にも、本発明は適用することができる。
【００４５】
本実施形態では、出力ギヤ２２ａと噛み合うギヤは２つであるが、噛み合うギヤの数は１つでもよく、特定の数に限定されるものではない。
【図面の簡単な説明】
【００４６】
【図１】画像読取装置の一例を示す縦断面図
【図２】各ローラの駆動伝達機構を示す正面図
【図３】各ローラの駆動伝達機構を示す平面図
【図４】モーターとブラケットの結合関係を示す図
【図５】アクセスカバーに位置決め治具部を構成した例を示す図
【符号の説明】
【００４７】
１        画像読取装置
２        原稿載置部
３        ピックアップローラ
４        分離給送手段
５        搬送路
１３      読取走査装置
１６      密着型イメージセンサ
１８      アクセスカバー
１８ｃ    モーター軸嵌合穴
１８ｄ    第１ギヤスタッド用位置決め穴
１８ｅ    第２ギヤスタッド用位置決め穴
２２      モーター
２２ａ    出力ギヤ（出力軸）
２２ｂ    モーター台板
２４      ブラケット
２４ｃ    第１ギヤスタッド
２４ｄ    第２ギヤスタッド
４０      ゴムブッシュ
Ａ        第１搬送系
Ａ１      第１駆動伝達機構
Ｂ        第２搬送系
Ｂ１      第２駆動伝達機構
Ｄ        原稿
【図１】
2008220132.tif 000003
【図２】
2008220132.tif 000004
【図３】
2008220132.tif 000005
【図４】
2008220132.tif 000006
【図５】
2008220132.tif 000007